(57)【要約】【課題】光学薄膜の構造の提供。【解決手段】本発明の光学薄膜の構造は、光学薄膜の一表面に複数の棒状マイクロ導光体を設置し、各マイクロ導光体は複数の頂峰を有する。これらの頂峰の高度は一致せず、高低が異なる状態を呈し、且つ、高峰、或いは、低峰の一者はそれぞれ左右連続湾曲か高度上下連続起伏の形態を呈し、光源がマイクロ導光体を通過して集光作用後、過度の規則形態に至らず、液晶パネルの応用に有利である。【選択図】    図１
2007272188.tif 000002
【特許請求の範囲】
【請求項１】
光学薄膜の構造であって、前記光学薄膜は一表面に複数のマイクロ導光体を形成し、その特徴は、前記マイクロ導光体と前記光学薄膜の本体は同一材質で、且つ、前記の各マイクロ導光体は、二個、或いは、二個以上の頂峰を有し、これらの頂峰は高低が異なる状態で、低峰と高峰を有することを特徴とする光学薄膜の構造。
【請求項２】
前記マイクロ導光体は、前記光学薄膜の本体と異なる材質であることを特徴とする請求項１に記載の光学薄膜の構造。
【請求項３】
前記マイクロ導光体の低峰は、左右連続湾曲の形態であることを特徴とする請求項１、或いは、２に記載の光学薄膜の構造。
【請求項４】
前記マイクロ導光体の高峰は、左右連続湾曲の形態であることを特徴とする請求項１、或いは、２に記載の光学薄膜の構造。
【請求項５】
前記マイクロ導光体の低峰の高度は、上下連続起伏の形態であることを特徴とする請求項１、或いは、２に記載の光学薄膜の構造。
【請求項６】
前記マイクロ導光体の高峰の高度は、上下連続起伏の形態ことを特徴とする請求項１、或いは、２に記載の光学薄膜の構造。
【請求項７】
前記マイクロ導光体の低峰は、同時に、左右連続湾曲を呈し、且つ、高度は上下連続起伏の形態であることを特徴とする請求項１、或いは、２に記載の光学薄膜の構造。
【請求項８】
前記マイクロ導光体の高峰は、同時に、左右連続湾曲を呈し、且つ、高度は上下連続起伏の形態であることを特徴とする請求項１、或いは、２に記載の光学薄膜の構造。
【請求項９】
前記マイクロ導光体の高峰、及び、低峰は、同時に、左右連続湾曲を呈し、且つ、高度は上下連続起伏の形態であることを特徴とする請求項１、或いは、２に記載の光学薄膜の構造。
【請求項１０】
光学薄膜の構造であって、前記光学薄膜の一表面に複数のマイクロ導光体を形成し、その特徴は、前記マイクロ導光体と前記光学薄膜の本体は同一材質で、且つ、前記の各マイクロ導光体は、二個、或いは、二個以上の頂峰を有し、これらの頂峰は相同の高度を有することを特徴とする光学薄膜の構造。
【請求項１１】
前記マイクロ導光体は、前記光学薄膜の本体と異なる材質であることを特徴とする請求項１０に記載の光学薄膜の構造。
【請求項１２】
前記マイクロ光導体の一部の頂峰は左右連続湾曲を呈し、一部の頂峰は直線の形態であることを特徴とする請求項１０、或いは、１１に記載の光学薄膜の構造。
【請求項１３】
前記マイクロ光導体の各頂峰は皆左右連続湾曲形態であることを特徴とする請求項１０、或いは、１１に記載の光学薄膜の構造。
【請求項１４】
前記マイクロ光導体の各頂峰の高度は上下連続起伏の形態であることを特徴とする請求項１０、或いは、１１に記載の光学薄膜の構造。
【請求項１５】
前記マイクロ光導体の一部の頂峰は上下連続起伏を呈し、一部の頂峰の高度は均一形態であることを特徴とする請求項１０、或いは、１１に記載の光学薄膜の構造。
【請求項１６】
前記マイクロ光導体の各頂峰は左右連続湾曲を呈し、且つ、高度は全部、上下連続起伏形態であることを特徴とする請求項１０、或いは、１１に記載の光学薄膜の構造。
【請求項１７】
前記マイクロ光導体の一部の頂峰は同時に、左右連続湾曲を呈し、且つ、高度は全部上下連続起伏の形態を呈し、一部の頂峰は直線形態であることを特徴とする請求項１０、或いは、１１に記載の光学薄膜の構造。
【請求項１８】
前記マイクロ光導体の一部の頂峰は左右連続湾曲を呈し、一部の頂峰は上下連続起伏の形態であることを特徴とする請求項１０、或いは、１１に記載の光学薄膜の構造。
【発明の詳細な説明】
【技術分野】
【０００１】
本発明は光学薄膜の構造に関し、詳細には、光源が作用後、離れる光源が過度の規則性を呈さず、後続の光源の利用に便利である光学薄膜の構造に関する。
【背景技術】
【０００２】
公知のバックライトモジュールが出力する光源は、プリズム膜片上のプリズム柱体の作用を受け、規則性を有する直線光束をなし、バックライトモジュールが出力する光源は線的光源を面状光源に変換するが、光源全体は、プリズム膜片上のプリズム柱体の作用を受け、規則性の直線光束をなす。液晶パネル中の薄膜トランジスタ、及び、カラーフィルターは極細の対応するマトリクス配置で、故に、規則性を有する直線光束は、一旦、薄膜トランジスタ、及び、カラーフィルタ中の各ユニット間のギャップを通過すると、通過した光束が回折（diffraction）を生成し、干渉紋を液晶パネル上に形成する。
【０００３】
上述の干渉紋の形成現象は、一般のバックライトモジュール工場で組み立て完成時に発生したかどうかを知ることができないので、液晶パネル工場で組み立て後、液晶パネルのディスプレイを起動した時にやっと分かる。よって、バックライトモジュール工場と液晶パネル工場の双方の業者にとって克服が望まれる問題である。
【発明の開示】
【発明が解決しようとする課題】
【０００４】
本発明の目的は、上述の問題を改善する光学薄膜を提供することである。
【課題を解決するための手段】
【０００５】
本発明は、光学薄膜を提供し、光学薄膜の一表面上に、棒状のマイクロ光導体を分布し、このマイクロ光導体は、二個、或いは、それ以上の頂峰を有し、マイクロ導光体の頂峰は高低が異なる状態で、高峰、或いは、低峰の一者は、それぞれ、左右連続湾曲、或いは、高度が上下連続起伏の設計であり、これにより、光束は全てが直線性の規則状ではなく、連続湾曲形状の光束を出力して、液晶パネルディスプレイ時の干渉紋の形成現象を防止する。
【０００６】
本発明は、光学薄膜の構造を提供し、光学薄膜の一表面上に、棒状のマイクロ光導体を設置し、このマイクロ光導体は、二個、或いは、それ以上の頂峰を有し、マイクロ導光体の頂峰は高低が相同の状態で、マイクロ導光体の各頂峰は一部、或いは、全部が左右連続湾曲、或いは、高度が上下連続起伏の設計であり、これにより、光束は全てが直線性の規則状ではなく、連続湾曲形状の光束を出力して、液晶パネルディスプレイ時の干渉紋の形成現象を防止する。      
【発明の効果】
【０００７】
本発明の光学薄膜は、光束は全てが直線性の規則状ではなく、連続湾曲形状の光束を出力して、液晶パネルディスプレイ時の干渉紋の形成現象を防止する。
【発明を実施するための最良の形態】
【０００８】
図１で示されるように、光学薄膜２は好ましい透光性材質からなり、光学薄膜２の一表面２１上に複数の棒状のマイクロ導光体２２を設置し、マイクロ導光体２２は光学薄膜２の本体と同一材質か、或いは、光学薄膜２の本体と異なる材質である。各マイクロ導光体２２は二個以上の頂峰２２１を有し、且つマイクロ導光体２２の頂峰２２１は高低が異なる状態で、低峰２２１１、及び、高峰２２１２を形成する（本発明は二個の頂峰を例とする）。
【０００９】
本発明の実施時、図２で示されるように、各マイクロ導光体２２の頂峰２２１の高度は高低が異なり、低峰２２１１、及び、高峰２２１２を形成する。図１〜図４で示されるように、マイクロ導光体２２の低峰２２１１、或いは、高峰２２１２の一者は左右連続湾曲の形態で、これにより、光源が光学薄膜２を通過する時、左右連続湾曲の低峰２２１１（或いは、高峰２２１２）により、光源がマイクロ導光体２２を経て集光後、離れる光束は単純な直線ではなく、各光束は、湾曲の変化を有し、集まった光源は過度の規則化をなさず、光源が液晶パネル中の薄膜トランジスタ、及び、カラーフィルターを通過する時、光源は回折を生じず、液晶パネルディスプレイ時の干渉紋の生成に至らない。
【００１０】
図５〜図８で示されるように、本発明の実施時、各マイクロ導光体２２の低峰２２１１、或いは、高峰２２１２の一者は、その高度が上下連続起伏を呈し、これにより、光源が光学薄膜２を通過する時、低峰２２１１（或いは、高峰２２１２）の上下連続起伏により、同様に、マイクロ導光体２２を経て集光される光束は単純な直線ではなく、光源が液晶パネル中の薄膜トランジスタ、及び、カラーフィルターを通過する時、光源は回折を生じず、液晶パネルディスプレイ時の干渉紋の生成に至らない。
【００１１】
図９〜図１２で示されるように、本発明の実施時、各マイクロ導光体２２の低峰２２１１、或いは、高峰２２１２の一者は、同時に、左右連続湾曲を呈し、且つ、高度が上下連続起伏を呈し、或いは、図１３、図１４で示されるように、各マイクロ導光体２２の低峰２２１１、或いは、高峰２２１２の二者が、左右連続湾曲を呈し、且つ、高度が上下連続起伏を呈し、これにより、光源が光学薄膜２を通過する時、低峰２２１１（或いは、高峰２２１２）の左右連続湾曲で、且つ、高度が、上下連続起伏により、同様に、集光される光束は単純な直線ではなく、光源が液晶パネル中の薄膜トランジスタ、及び、カラーフィルターを通過する時、光源は回折を生じず、液晶パネルディスプレイ時の干渉紋の生成に至らない。
【００１２】
図１５、及び、図１６で示されるように、本発明の実施時、光学薄膜３の一表面３１は複数の棒状マイクロ導光体３２を形成し、各マイクロ導光体３２は、二個以上の頂峰３２１を有し、且つ、各マイクロ導光体３２の頂峰３２１は相同の高度であると共に、全部の頂峰３２１、或いは、一部の頂峰３２１の形態が変化を有し（本実施例は3個の頂峰を例とする）、マイクロ導光体３２中央の頂峰３２１１は左右連続湾曲の設計を呈し、二側の頂峰３２１２、３２１３は、直線式の設計であり、これにより、光源が光学薄膜３を通過する時、マイクロ導光体３２中央の頂峰３２１１が左右連続湾曲で、光束は単純な直線ではなく、光源が液晶パネル中の薄膜トランジスタ、及び、カラーフィルターを通過する時、光源は回折を生じず、液晶パネルディスプレイ時の干渉紋の生成に至らない。
【００１３】
図１７、及び、図１８で示されるように、本発明の実施時、光学薄膜３の各マイクロ導光体３２の全部の頂峰３２１１、３２１２、３２１３は皆左右連続湾曲の形態を呈し、これにより、作用した光束は変化を有し、光源が液晶パネル中の薄膜トランジスタ、及び、カラーフィルターを通過する時、光源は回折を生じず、液晶パネルディスプレイ時の干渉紋の生成に至らない。
【００１４】
図１９、及び、図２０で示されるように、光学薄膜３の実施時、各マイクロ導光体３２の二側の頂峰３２１２、３２１３は左右連続湾曲の形態を呈し、中央に位置する頂峰３２１１は直線形態であり、これにより、同様に、作用した光束は変化を有し、光源が液晶パネル中の薄膜トランジスタ、及び、カラーフィルターを通過する時、光源は回折を生じず、液晶パネルディスプレイ時の干渉紋の生成に至らない。
【００１５】
図２１、及び、図２２で示されるように、本発明の光学薄膜３の実施時、各マイクロ導光体３２の頂峰３２１１、３２１２、３２１３の高度は全部上下連続起伏の形態を呈し、これにより、光源が光学薄膜３を通過する時、光束が変化を有し、光源が液晶パネル中の薄膜トランジスタ、及び、カラーフィルターを通過する時、光源は回折を生じず、液晶パネルディスプレイ時の干渉紋の生成に至らない。
【００１６】
図２３、及び、図２４で示されるように、本発明の光学薄膜３の実施時、各マイクロ導光体３２の二側の頂峰３２１２、３２１３の高度は上下連続起伏の形態を呈し、中央に位置する頂峰３２１１高度は均一であり、これにより、光源が光学薄膜３を通過する時、マイクロ導光体３２の作用後の光束は変化性を有し、光源が液晶パネル中の薄膜トランジスタ、及び、カラーフィルターを通過する時、光源は回折を生じず、液晶パネルディスプレイ時の干渉紋の生成に至らない。
【００１７】
図２５、及び、図２６で示されるように、本発明の光学薄膜３の実施時、各マイクロ導光体３２の頂峰３２１１の高度は上下連続起伏の形態を呈し、二側の頂峰３２１２、３２１３の高度は均一で、
これにより、マイクロ導光体３２の作用後の光束が変化を有し、光源が液晶パネル中の薄膜トランジスタ、及び、カラーフィルターを通過する時、光源は回折を生じず、液晶パネルディスプレイ時の干渉紋の生成に至らない。
【００１８】
図２７、及び、図２８で示されるように、本発明の光学薄膜３の実施時、各マイクロ導光体３２の頂峰３２１１、３２１２、３２１３は、同時に、左右連続湾曲を呈し、且つ、高度は上下連続起伏の形態を呈し、これにより、マイクロ導光体３２の作用後の光束が変化を有し、光源が液晶パネル中の薄膜トランジスタ、及び、カラーフィルターを通過する時、光源は回折を生じず、液晶パネルディスプレイ時の干渉紋の生成に至らない。
【００１９】
図２９、及び、図３０で示されるように、本発明の光学薄膜３の実施時、各マイクロ導光体３２の頂峰３２１１は、同時に、左右連続湾曲を呈し、且つ、高度は上下連続起伏の形態を呈し、二側の頂峰３２１２、３２１３は直線式形態で、これにより、マイクロ導光体３２の作用後の光束が変化を有し、光源が液晶パネル中の薄膜トランジスタ、及び、カラーフィルターを通過する時、光源は回折を生じず、液晶パネルディスプレイ時の干渉紋の生成に至らない。
【００２０】
図３１、及び、図３２で示されるように、本発明の光学薄膜３の実施時、各マイクロ導光体３２の頂峰３２１１は直線式の形態で、二側の頂峰３２１２、３２１３は、同時に、左右連続湾曲を呈し、且つ、高度は上下連続起伏の形態を呈し、これにより、マイクロ導光体３２の作用後の光束が変化を有し、光源が液晶パネル中の薄膜トランジスタ、及び、カラーフィルターを通過する時、光源は回折を生じず、液晶パネルディスプレイ時の干渉紋の生成に至らない。
【００２１】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００２２】
【図１】本発明の光学薄膜の第一実施例の立体図である。
【図２】図２の上視、及び、側視図である。
【図３】本発明の光学薄膜の第二実施例の立体図である。
【図４】図３の上視、及び、側視図である。
【図５】本発明の光学薄膜の第三実施例の立体図である。
【図６】図５の上視、及び、側視図である。
【図７】本発明の光学薄膜の第四実施例の立体図である。
【図８】図７の上視、及び、側視図である。
【図９】本発明の光学薄膜の第五実施例の立体図である。
【図１０】図９の上視、及び、側視図である。
【図１１】本発明の光学薄膜の第六実施例の立体図である。
【図１２】図１１の上視、及び、側視図である。
【図１３】本発明の光学薄膜の第七実施例の立体図である。
【図１４】図１３の上視、及び、側視図である。
【図１５】本発明の光学薄膜の第八実施例の立体図である。
【図１６】図１５の上視、及び、側視図である。
【図１７】本発明の光学薄膜の第九実施例の立体図である。
【図１８】図１７の上視、及び、側視図である。
【図１９】本発明の光学薄膜の第十実施例の立体図である。
【図２０】図１９の上視、及び、側視図である。
【図２１】本発明の光学薄膜の第十一実施例の立体図である。
【図２２】図２１の上視、及び、側視図である。
【図２３】本発明の光学薄膜の第十二実施例の立体図である。
【図２４】図２３の上視、及び、側視図である。
【図２５】本発明の光学薄膜の第十三実施例の立体図である。
【図２６】図２５の上視、及び、側視図である。
【図２７】本発明の光学薄膜の第十四実施例の立体図である。
【図２８】図２７の上視、及び、側視図である。
【図２９】本発明の光学薄膜の第十五実施例の立体図である。
【図３０】図２９の上視、及び、側視図である。
【図３１】本発明の光学薄膜の第十六実施例の立体図である。
【図３２】図３１の上視、及び、側視図である。
【符号の説明】
【００２３】
２光学薄膜      
２１表面        
２２マイクロ導光体
２２１頂峰    
２２１１低峰
２２１２高峰
３光学薄膜
３１表面
３２マイクロ導光体
３２１頂峰      
３２１１中央頂峰
３２１２、３２１３二側頂峰
【図１】
2007272188.tif 000003
【図２】
2007272188.tif 000004
【図３】
2007272188.tif 000005
【図４】
2007272188.tif 000006
【図５】
2007272188.tif 000007
【図６】
2007272188.tif 000008
【図７】
2007272188.tif 000009
【図８】
2007272188.tif 000010
【図９】
2007272188.tif 000011
【図１０】
2007272188.tif 000012
【図１１】
2007272188.tif 000013
【図１２】
2007272188.tif 000014
【図１３】
2007272188.tif 000015
【図１４】
2007272188.tif 000016
【図１５】
2007272188.tif 000017
【図１６】
2007272188.tif 000018
【図１７】
2007272188.tif 000019
【図１８】
2007272188.tif 000020
【図１９】
2007272188.tif 000021
【図２０】
2007272188.tif 000022
【図２１】
2007272188.tif 000023
【図２２】
2007272188.tif 000024
【図２３】
2007272188.tif 000025
【図２４】
2007272188.tif 000026
【図２５】
2007272188.tif 000027
【図２６】
2007272188.tif 000028
【図２７】
2007272188.tif 000029
【図２８】
2007272188.tif 000030
【図２９】
2007272188.tif 000031
【図３０】
2007272188.tif 000032
【図３１】
2007272188.tif 000033
【図３２】
2007272188.tif 000034